(57)【要約】【課題】球搬送装置のメンテナンスや交換の際の着脱作業を容易に行うことが可能な遊技球供給装置を提供すること。【解決手段】傾斜して配設された第１補給樋１０と、傾斜して配設され上流端部１１ａが第１補給樋１０の下流端部１０ａよりも高い位置に設けられた第２補給樋１１と、第１補給樋１０から排出された遊技球を第２補給樋１１へと搬送する球搬送装置１２とを備え、球搬送装置１２は、第１補給樋１０から球搬送装置１２内への遊技球の供給をガイドする供給ガイド部材４１と、球搬送装置１２内から第２補給樋１１への遊技球の排出をガイドする排出ガイド部材４２とを備え、供給ガイド部材４１及び排出ガイド部材４２の少なくとも一方は、球搬送装置１２から突出することで補給樋１０，１１の端部１０ａ，１１ａに臨む第１状態と、球搬送装置内１２に進入することで補給樋１０，１１の端部１０ａ，１１ａから退避する第２状態とに変換可能に構成される。【選択図】図９
2011036324.tif 000002
【特許請求の範囲】
【請求項１】
複数の遊技機が配列された遊技島に設けられ、各遊技機に遊技球を供給する遊技球供給装置において、
前記遊技島の長手方向に傾斜して配設された第１補給樋と、
前記遊技島の長手方向に傾斜して前記第１補給樋と直列に配設され、上流端部が前記第１補給樋の下流端部よりも高い位置に設けられた第２補給樋と、
前記第１補給樋及び第２補給樋の長手方向に沿って配設され、遊技球を各遊技機へと導く複数の補給シュートと、
前記第１補給樋の下流端部と前記第２補給樋の上流端部との間に配設され、前記第１補給樋から供給された遊技球を前記第２補給樋へと搬送する球搬送装置と、を備え、
前記球搬送装置は、
前記第１補給樋から供給された遊技球を前記球搬送装置内に受け入れる球受入部に対応して配設され、前記第１補給樋の下流端部に臨んで当該第１補給樋から前記球搬送装置内への遊技球の供給をガイドすることが可能な供給ガイド部材と、
前記球搬送装置内から前記第２補給樋へ遊技球を排出する球排出部に対応して配設され、前記第２補給樋の上流端部に臨んで前記球搬送装置内から前記第２補給樋への遊技球の排出をガイドすることが可能な排出ガイド部材と、を備え、
前記供給ガイド部材及び前記排出ガイド部材の少なくとも一方は、前記球搬送装置から突出することで対応する前記補給樋の端部に臨む第１状態と、前記球搬送装置内に進入することで対応する前記補給樋の端部から退避する第２状態と、に変換可能に構成されることを特徴とする遊技球供給装置。
【請求項２】
前記球搬送装置は、前記球受入部及び前記球排出部が開口して形成されるカバー部材をさらに備え、
前記供給ガイド部材及び前記排出ガイド部材の少なくとも一方は、前記カバー部材に前記第１状態と前記第２状態とに変換可能に支持され、前記球受入部及び前記球排出部を横切るようにして前記カバー部材内に進入して前記第２状態に変換されることを特徴とする請求項１に記載の遊技球供給装置。
【請求項３】
前記球搬送装置は、前記カバー部材に収容され前記球受入部からの遊技球を保持して前記球排出部へ向けて搬送する搬送部材をさらに備え、
前記供給ガイド部材は、
前記第１状態においては、転動面の下流側が前記搬送部材と遊技球が通過不能な隙間をもって対向した状態で、前記第１補給樋から前記搬送部材に向けて下り傾斜して配設され、
前記第２状態においては、転動面の下流側が前記搬送部材に当接して当該規制部材の動作を規制することを特徴とする請求項２に記載の遊技球供給装置。
【請求項４】
前記搬送部材は、外周縁に配設された磁性体の磁力によって遊技球を外周面に吸着させて搬送する回転体であり、
前記供給ガイド部材には、転動面の下流端部に突出して形成され、遊技球の転動を規制する規制片が設けられ、
前記供給ガイド部材は、
前記第１状態においては、前記規制片にて転動を規制された遊技球が前記回転体の外周面に吸着可能なように、前記回転体の外周面と所定隙間をもって対向して配設され、
前記第２状態においては、前記規制片が前記回転体の外周面に係合して当該回転体の回転を規制することを特徴とする請求項３に記載の遊技球供給装置。
【請求項５】
前記磁性体は、
前記回転体の外周縁に配設された複数の硬磁性体と、
前記硬磁性体に吸着した遊技球と磁気回路を構成する軟磁性体と、を備えることを特徴とする請求項４に記載の遊技球供給装置。
【請求項６】
前記硬磁性体と前記軟磁性体は、前記回転体の外周縁に、当該回転体周方向に交互に配設されることを特徴とする請求項５に記載の遊技球供給装置。
【請求項７】
前記回転体は、
前記回転軸を中心に回転するベースドラムと、
前記ベースドラムの外周に沿って配設され、前記硬磁性体を保持する磁石ガイドと、を備え、
前記ベースドラムの外周部は前記軟磁性体であり、前記磁石ガイドは非磁性体であることを特徴とする請求項６に記載の遊技球供給装置。
【請求項８】
前記回転体は、
前記回転軸を中心に回転するベースドラムと、
前記ベースドラムの外周に沿って配設され、前記硬磁性体を保持する磁石ガイドと、を備え、
前記磁石ガイドは前記軟磁性体であることを特徴とする請求項６に記載の遊技球供給装置。
【請求項９】
隣り合う前記硬磁性体は、Ｓ極とＮ極が対向して配設されることを特徴とする請求項５から請求項８のいずれか一つに記載の遊技球供給装置。
【発明の詳細な説明】
【技術分野】
【０００１】
本発明は、遊技島に設けられ、遊技球を遊技機に供給する遊技球供給装置に関するものである。
【背景技術】
【０００２】
従来の遊技場においては、遊技島の長手方向に沿って複数の遊技機が配列され、遊技島の上部には、各遊技機に遊技球を供給するための供給装置が設けられている。
【０００３】
このような供給装置として特許文献１には、遊技球が自重により移動可能な傾斜角度にて傾斜する一対の補給樋と、一方の補給樋の下流側端部から搬入される遊技球を上方へ移動させて他方の補給樋の上流側端部へ搬送する玉搬送ユニットとを備えるものが開示されている。
【０００４】
このような球搬送ユニットに形成される搬入口部及び搬出口部のそれぞれには、上流側補給樋の下流端部との間及び下流側補給樋の上流端部との間に隙間ができて球こぼれが発生するのを防止するために、各補給樋の端部を下方から支持して位置決めを行う断面コの字状のガイド部材（連結部）が設けられている。
【先行技術文献】
【特許文献】
【０００５】
【特許文献１】特開２００８−３６２３４号公報
【発明の開示】
【発明が解決しようとする課題】
【０００６】
特許文献１に開示のような供給装置におけるガイド部材は、遊技島に供給装置を設置した状態において各補給樋に係合して配設されるため、球搬送装置（ユニット）のメンテナンスや交換に伴う着脱時に各補給樋を遊技島から取り外す作業をしなければならず、非常に作業性が悪いという問題がある。
【０００７】
本発明は、上記した問題点に鑑みてなされたものであり、球搬送装置のメンテナンスや交換の際の着脱作業を容易に行うことが可能な遊技球供給装置を提供することを目的とする。
【課題を解決するための手段】
【０００８】
第１の発明は、複数の遊技機が配列された遊技島に設けられ、各遊技機に遊技球を供給する遊技球供給装置において、前記遊技島の長手方向に傾斜して配設された第１補給樋と、前記遊技島の長手方向に傾斜して前記第１補給樋と直列に配設され、上流端部が前記第１補給樋の下流端部よりも高い位置に設けられた第２補給樋と、前記第１補給樋及び第２補給樋の長手方向に沿って配設され、遊技球を各遊技機へと導く複数の補給シュートと、前記第１補給樋の下流端部と前記第２補給樋の上流端部との間に配設され、前記第１補給樋から供給された遊技球を前記第２補給樋へと搬送する球搬送装置と、を備え、前記球搬送装置は、前記第１補給樋から供給された遊技球を前記球搬送装置内に受け入れる球受入部に対応して配設され、前記第１補給樋の下流端部に臨んで当該第１補給樋から前記球搬送装置内への遊技球の供給をガイドすることが可能な供給ガイド部材と、前記球搬送装置内から前記第２補給樋へ遊技球を排出する球排出部に対応して配設され、前記第２補給樋の上流端部に臨んで前記球搬送装置内から前記第２補給樋への遊技球の排出をガイドすることが可能な排出ガイド部材と、を備え、前記供給ガイド部材及び前記排出ガイド部材の少なくとも一方は、前記球搬送装置から突出することで対応する前記補給樋の端部に臨む第１状態と、前記球搬送装置内に進入することで対応する前記補給樋の端部から退避する第２状態と、に変換可能に構成されることを特徴とする。
【０００９】
第２の発明は、前記球搬送装置は、前記球受入部及び前記球排出部が開口して形成されるカバー部材をさらに備え、前記供給ガイド部材及び前記排出ガイド部材の少なくとも一方は、前記カバー部材に前記第１状態と前記第２状態とに変換可能に支持され、前記球受入部及び前記球排出部を横切るようにして前記カバー部材内に進入して前記第２状態に変換されることを特徴とする。
【００１０】
第３の発明は、前記球搬送装置は、前記カバー部材に収容され前記球受入部からの遊技球を保持して前記球排出部へ向けて搬送する搬送部材をさらに備え、前記供給ガイド部材は、前記第１状態においては、転動面の下流側が前記搬送部材と遊技球が通過不能な隙間をもって対向した状態で、前記第１補給樋から前記搬送部材に向けて下り傾斜して配設され、前記第２状態においては、転動面の下流側が前記搬送部材に当接して当該規制部材の動作を規制することを特徴とする。
【００１１】
第４の発明は、前記搬送部材は、外周縁に配設された磁性体の磁力によって遊技球を外周面に吸着させて搬送する回転体であり、前記供給ガイド部材には、転動面の下流端部に突出して形成され、遊技球の転動を規制する規制片が設けられ、前記供給ガイド部材は、前記第１状態においては、前記規制片にて転動を規制された遊技球が前記回転体の外周面に吸着可能なように、前記回転体の外周面と所定隙間をもって対向して配設され、前記第２状態においては、前記規制片が前記回転体の外周面に係合して当該回転体の回転を規制することを特徴とする。
【００１２】
第５の発明は、前記磁性体は、前記回転体の外周縁に配設された複数の硬磁性体と、前記硬磁性体に吸着した遊技球と磁気回路を構成する軟磁性体と、を備えることを特徴とする。
【００１３】
第６の発明は、前記硬磁性体と前記軟磁性体は、前記回転体の外周縁に、当該回転体周方向に交互に配設されることを特徴とする。
【００１４】
第７の発明は、前記回転体は、前記回転軸を中心に回転するベースドラムと、前記ベースドラムの外周に沿って配設され、前記硬磁性体を保持する磁石ガイドと、を備え、前記ベースドラムの外周部は前記軟磁性体であり、前記磁石ガイドは非磁性体であることを特徴とする。
【００１５】
第８の発明は、前記回転体は、前記回転軸を中心に回転するベースドラムと、前記ベースドラムの外周に沿って配設され、前記硬磁性体を保持する磁石ガイドと、を備え、前記磁石ガイドは前記軟磁性体であることを特徴とする。
【００１６】
第９の発明は、隣り合う前記硬磁性体は、Ｓ極とＮ極が対向して配設されることを特徴とする。
【発明の効果】
【００１７】
第１及び第２の発明によれば、球搬送装置のメンテナンスや交換に伴う着脱時には、供給ガイド部材及び排出ガイド部材を球搬送装置内に進入させて補給樋の端部から退避させれば、球搬送装置と補給樋との係合を解除することができる。したがって、球搬送装置の着脱時に補給樋を遊技島から取り外す作業が不要となり、球搬送装置の着脱作業を容易に行うことが可能となる。
【００１８】
第３の発明によれば、第２状態では、供給ガイド部材の転動面の下流側が搬送部材に当接して搬送部材の動作を規制するため、球搬送装置のメンテナンスや交換に伴う着脱時において、供給ガイド部材を第２状態に変換して遊技島から取り外す場合においても、搬送部材に保持された遊技球のカバー部材内での散乱を防止することが可能となる。
【００１９】
第４の発明によれば、第２状態では、規制片が回転体の外周面に係合して回転体の回転を規制するため、球搬送装置のメンテナンスや交換に伴う着脱時において、回転体の回転をより確実に規制することが可能となる。
【００２０】
第５の発明によれば、硬磁性体、硬磁性体に吸着した遊技球、及び軟磁性体によって回転体の外周縁には磁気回路が構成され、その磁気回路によって複数の遊技球が回転体の外周面に数珠状に吸着するため、遊技球の搬送効率が向上する。
【００２１】
第６〜第８の発明によれば、硬磁性体及び遊技球と磁気回路を構成する軟磁性体を備えることによって、硬磁性体は、回転体周方向に所定間隔を空けて配設すれば足りるため、硬磁性体の使用量を抑えることができる。したがって、コストを低減することが可能となる。
【００２２】
第９の発明によれば、遊技球は隣り合う硬磁性体に亘って吸着するため、回転体の外周面により多くの遊技球を吸着させることができ、遊技球の搬送効率を向上させることが可能となる。
【図面の簡単な説明】
【００２３】
【図１】遊技島の内部構造を示す側面図である。
【図２】本発明の第１の実施の形態に係る遊遊技球供給装置の要部斜視図である。
【図３】（ａ）本発明の第１の実施の形態に係る遊技球供給装置の球搬送装置の斜視図である。（ｂ）本発明の第１の実施の形態に係る遊技球供給装置の球搬送装置の内部を示す斜視図である。
【図４】回転体の分解斜視図である。
【図５】本発明の第１の実施の形態に係る遊遊技球供給装置の要部断面図である。
【図６】（ａ）遊技球が回転体の外周面に吸着し搬送されている状態を示す図である。（ｂ）図６（ａ）の比較例を示す図である。
【図７】遊技球が回転体の外周面に吸着し搬送されている状態を示す図である。
【図８】球搬送装置における供給ガイド部材近傍を示す斜視図であり、（ａ）は供給ガイド部材が通常状態の図、（ｂ）は供給ガイド部材が移動中の図、（ｃ）供給ガイド部材がカバー部材内に収納された状態の図である。
【図９】球搬送装置の着脱作業を行っている状態を示す図である。
【図１０】本発明の第２の実施の形態に係る遊技球供給装置の球搬送装置の斜視図である。
【図１１】供給ガイド部材が通常状態である球搬送装置の要部斜視図である。
【図１２】供給ガイド部材がカバー部材内に収納された状態の要部斜視図である。
【図１３】図１２に対応する断面図である。
【図１４】供給ガイド部材が通常状態である球搬送装置の要部断面図である。
【図１５】供給ガイド部材がカバー部材内に収納された状態の球搬送装置の要部断面図である。
【発明を実施するための形態】
【００２４】
以下、図面を参照して、本発明の実施の形態について説明する。
【００２５】
（第１の実施の形態）
まず、図１を参照して、本発明の第１の実施の形態に係る遊技球供給装置１が設けられる遊技島１００について説明する。図１は、遊技島１００の内部構造を示す側面図である。
【００２６】
遊技島１００は、遊技場に設置され、複数の遊技機（図示省略）や付帯設備が設けられるものである。
【００２７】
遊技島１００は、長手方向（図１においては紙面左右方向）に２列に配列された複数の遊技機設置開口部５を有する。図１においては遊技島１００の表面側の遊技機設置開口部５の列のみを図示するが、遊技島１００の裏面側にも遊技機設置開口部５の列が形成される。この遊技機設置開口部５には遊技機が設置される。これにより、遊技機は、遊技島１００の長手方向に配列されると共に、短手方向（図１にいては紙面垂直方向）には、それぞれの背面を合わせた背向状態で配置される。
【００２８】
遊技島１００における遊技機の下方には、遊技に用いられる遊技球を貯留するための下部タンク２が設けられる。下部タンク２の遊技球は、小型揚送装置６によって下部タンク２から排出され、回収樋７を通り、遊技島１００の長手方向略中央に設けられた揚送装置３に導かれる。
【００２９】
揚送装置３は、遊技球を磨きながら上方へと揚送する装置であり、揚送装置３によって揚送された遊技球は、揚送装置３の上部に設置された上部タンク４へと導かれる。
【００３０】
上部タンク４の左右両側には、上部タンク４の遊技球を各遊技機、及び各遊技機に併設され遊技球を貸し出すための球貸機（図示省略）へと供給する遊技球供給装置１が連結される。なお、図１では、上部タンク４の一方側に連結された遊技球供給装置１のみを示す。
【００３１】
遊技球供給装置１から遊技機へと供給された遊技球は、遊技機から賞球として遊技者に対して払い出される。払い出された遊技球は、遊技島１００に設置された球計数機８に投入されて下部タンク２に回収される。なお、払い出された遊技球が遊技に用いられることもあり、遊技に用いられた遊技球は、遊技機から排出されて回収樋７を通り、揚送装置３へ導かれる。
【００３２】
また、遊技球供給装置１から球貸機へと供給された遊技球は、遊技機における遊技に用いられ、遊技機から排出された遊技球は、回収樋７を通り、揚送装置３へ導かれる。
【００３３】
このように、遊技島１００内の遊技球は、遊技島１００内を循環する。
【００３４】
遊技球供給装置１は、上流端部が上部タンク４に接続され遊技島１００の長手方向に傾斜して配設された第１補給樋１０と、遊技島１００の長手方向にかつ第１補給樋１０と同一方向に向かって傾斜し、第１補給樋１０と直列に配設された第２補給樋１１と、第１補給樋１０の下流端部と第２補給樋１１の上流端部との間に配置され、第１補給樋１０の下流端部から供給された遊技球を第２補給樋１１の上流端部へと搬送する球搬送装置１２とを備える。
【００３５】
第１補給樋１０及び第２補給樋１１は、遊技球が転動可能な傾斜角度に形成され、遊技島１００の上部に固定される。
【００３６】
球搬送装置１２は、遊技島１００に配設された取付部９に取り付けられ、第２補給樋１１の上流端部が第１補給樋１０の下流端部よりも高い位置となるように、第１補給樋１０と第２補給樋１１を連結する。
【００３７】
第１補給樋１０及び第２補給樋１１には、転動する遊技球を各遊技機へと導く複数の補給シュート１３が長手方向に沿って配設される。
【００３８】
補給シュート１３は、第１補給樋１０及び第２補給樋１１の両側のそれぞれに配設され、図１において手前側の補給シュート１３は、遊技島１００手前側に設置された遊技機及び球貸機に対して遊技球を導き、奥側の補給シュート１３は、遊技島１００奥側に設置された遊技機及び球貸機に対して遊技球を導く。
【００３９】
次に、図２〜図５を参照して、遊技球供給装置１について詳しく説明する。図２は遊技球供給装置１の要部斜視図であり、図３（ａ）は球搬送装置１２の斜視図であり、図３（ｂ）は球搬送装置１２の内部を示す斜視図であり、図４は回転体２０の分解斜視図であり、図５は遊技球供給装置１の要部断面図である。
【００４０】
図２に示すように、球搬送装置１２は、遊技島１００の取付部９に締結された基台１４と、基台１４に取り付けられたカバー部材１５とを備え、カバー部材１５内には、球搬送装置１２を構成する各部材が収容される。
【００４１】
カバー部材１５には、第１補給樋１０から供給された遊技球を球搬送装置１２（カバー部材１５）内に受け入れる球受入部１６ａと、球搬送装置１２（カバー部材１５）内から第２補給樋１１へ遊技球を排出する球排出部１６ｂ（図５参照）とが開口して形成される。
【００４２】
第１補給樋１０及び第２補給樋１１は、遊技島１００の長手方向に配設された支持体１７に立設する樋支持部１７ａに締結され支持される。
【００４３】
図３（ｂ）に示すように、カバー部材１５内には、球受入部１６ａからの遊技球を保持して球排出部１６ｂへ向けて搬送する回転体２０（搬送部材）が収容される。
【００４４】
回転体２０は、遊技島１００の短手方向に延びる回転軸２０ａを中心に回転し、外周縁に配設された磁性体の磁力によって遊技球を外周面に吸着させて搬送するものである。ここで、回転体２０の外周縁とは、回転体２０の外周面と、その外周面よりも小径な円とで囲まれた環状領域のことを指す。
【００４５】
回転体２０の回転軸２０ａの一端側は、カバー部材１５の側壁１５ａ（図８参照）に支持された軸受１８にて回転自在に支持される。
【００４６】
基台１４上には、回転体２０を回転駆動するためのモータ３２が固定され、モータ３２の出力軸にはプーリ３３が結合される。回転体２０の回転軸２０ａにもプーリ３４が結合され、プーリ３３とプーリ３４にはベルト３５が掛け回される。
【００４７】
モータ３２が回転駆動することによって、その回転がプーリ３３，３４及びベルト３５を介して回転体２０に伝達され、回転体２０が回転軸２０ａを中心に回転する。回転体２０は、図５において時計回りに回転する。
【００４８】
図４に示すように、回転体２０は、軸中心に回転軸２０ａを有するベースドラム２１と、ベースドラム２１の外周に沿って配設され、磁性体を保持する磁石ガイド２２とを備える。
【００４９】
ベースドラム２１は、軟磁性体にて構成された円筒状の胴部２１ａと、胴部２１ａの両端開口部を閉塞し回転軸２０ａを支持する両端面２１ｂとからなる中空状の部材である。このように、ベースドラム２１の外周部は、軟磁性体にて構成される。なお、軟磁性体としては、例えば、ＳＵＳ４３０等のフェライト系ステンレス鋼が用いられる。
【００５０】
磁石ガイド２２は、長辺がベースドラム２１の外周長さと同等であり、可撓性を有する細長いシート状の部材であり、ベースドラム２１の外周に巻き付けられて配設される。磁石ガイド２２は、ゴム製であり、非磁性体にて構成される。
【００５１】
なお、磁石ガイド２２は、非磁性体であれば、常磁性の金属、合成樹脂、又はセラミックス製でもよく、その場合、磁石ガイド２２が可撓性を有さない場合には、環状に形成してベースドラム２１の外周に嵌挿される。
【００５２】
磁石ガイド２２には、硬磁性体２３を保持する複数の保持部２２ａが上下面を貫通して形成される。保持部２２ａは、磁石ガイド２２の短手方向に延在し、かつ磁石ガイド２２の長手方向に所定間隔を空けて形成される。
【００５３】
各保持部２２ａ内には、板状の硬磁性体２３がぴったりと装着される。磁石ガイド２２がベースドラム２１の外周に巻き付けられることによって、各硬磁性体２３は、回転軸２０ａ方向に延在し、かつ回転体２０周方向に所定間隔を空けて配設される。
【００５４】
磁石ガイド２２の外周には、硬磁性体２３の脱落を防止するための磁石カバー２６が装着される。磁石カバー２６は、内周面に糊等の粘着物が塗布された薄く細長いフィルム状のものである。
【００５５】
なお、硬磁性体２３の脱落を防止するための手段として、磁石カバー２６を用いずに、磁石ガイド２２に硬磁性体２３を係止する構造を設けてもよい。
【００５６】
以上のように、ベースドラム２１の外周に沿って硬磁性体２３を保持した磁石ガイド２２が配設されることによって、回転体２０の外周縁には、図５に示すように、硬磁性体２３が回転体２０周方向に所定間隔を空けて配設されると共に、隣り合う硬磁性体２３の間にはゴム製の磁石ガイド２２を通じて軟磁性体のベースドラム２１が臨むことになる。このように、回転体２０の外周縁には、硬磁性体２３と軟磁性体が、回転体２０周方向に交互に配設される。
【００５７】
本明細書において、硬磁性体とは、外部磁場が加わっても磁化し難く、また、一度磁化したらその残留磁化を強く保つ磁性体を指し、永久磁石を含む。
【００５８】
また、軟磁性体とは、外部磁場に対して磁化が磁場方向に揃い易く、また、残留磁化の保持力が小さい磁性体を指す。
【００５９】
また、非磁性体とは、磁界と相互作用を及ぼさないものを指す。
【００６０】
図２，図３，及び図５に示すように、球搬送装置１２は、球受入部１６ａに対応して配設され、第１補給樋１０の下流端部１０ａに臨んで第１補給樋１０から球搬送装置１２（カバー部材１５）内への遊技球の供給をガイドすることが可能な供給ガイド部材４１と、球排出部１６ｂに対応して配設され、第２補給樋１１の上流端部１１ａに臨んで球搬送装置１２（カバー部材１５）内から第２補給樋１１への遊技球の排出をガイドすることが可能な排出ガイド部材４２とをさらに備える。
【００６１】
供給ガイド部材４１は、遊技球が転動する転動面４１ａと、転動面４１ａの両側に立設して形成され遊技球の落下を防止するための一対のガイド壁４１ｂとからなる断面コの字状の部材であり、非磁性体にて構成される。
【００６２】
供給ガイド部材４１は、カバー部材１５の球受入部１６ａを挿通し、ガイド壁４１ｂがカバー部材１５の側壁１５ａ，１５ｂに支持される。
【００６３】
図５に示すように、第１補給樋１０は、下流端部１０ａが供給ガイド部材４１内に挿入されて、供給ガイド部材４１と連通する。供給ガイド部材４１は、第１補給樋１０から回転体２０に向けて下り傾斜して配設され、供給ガイド部材４１の転動面４１ａは、第１補給樋１０の遊技球が転動する転動面１０ｃと比較して傾斜が大きい。
【００６４】
第１補給樋１０と供給ガイド部材４１は、転動面１０ｃと転動面４１ａが遊技球１個分以上の段差４３をもって連通する。つまり、第１補給樋１０の下流端部１０ａと供給ガイド部材４１の転動面４１ａとの間には、遊技球１個分以上の段差４３が設けられる。これにより、第１補給樋１０の下流端部１０ａから供給された遊技球は、段差４３を落下して供給ガイド部材４１の転動面４１ａに導かれる。
【００６５】
供給ガイド部材４１の転動面４１ａの下流側は、回転体２０の外周面と遊技球が通過不能な隙間をもって対向する。これにより、供給ガイド部材４１に導かれるゴミ等の異物のみが、転動面４１ａと回転体２０の外周面との間を通過するため、供給ガイド部材４１を転動する遊技球の落下を防止しつつ、供給ガイド部材４１に導かれる異物を取り除くことができる。
【００６６】
このように、供給ガイド部材４１は、第１補給樋１０と回転体２０とに亘って配設され、第１補給樋１０を転動し下流端部１０ａから供給された遊技球を回転体２０へと導くものである。
【００６７】
排出ガイド部材４２は、遊技球が転動する転動面４２ａと、転動面４２ａの両側に立設して形成され遊技球の落下を防止するための一対のガイド壁４２ｂとからなる断面コの字状の部材であり、非磁性体にて構成される。
【００６８】
排出ガイド部材４２は、カバー部材１５の球排出部１６ｂを挿通し、ガイド壁４２ｂがカバー部材１５の側壁１５ａ，１５ｂに支持される。
【００６９】
排出ガイド部材４２は、下流端部４２ｃが第２補給樋１１内に挿入されて、第２補給樋１１と連通する。排出ガイド部材４２の転動面４２ａは、第２補給樋１１の遊技球が転動する転動面１１ｃと略同一の傾斜である。
【００７０】
排出ガイド部材４２と回転体２０との間には、上流端部４４ａが回転体２０の外周面に摺接すると共に、下流端部４４ｂが排出ガイド部材４２内に挿入された球切り樋４４が配設される。
【００７１】
球切り樋４４は、断面コの字状の部材であり、非磁性体にて構成される。球切り樋４４の遊技機が転動する転動面４４ｃは、第２補給樋１１の転動面１１ｃと比較して傾斜が大きい。
【００７２】
回転体２０の外周面に吸着して搬送される遊技球は、球切り樋４４の上流端部４４ａに当接することによって、回転体２０の外周面から離れて球切り樋４４内に誘導され、排出ガイド部材４２へと導かれる。
【００７３】
このように、球切り樋４４は、排出ガイド部材４２と回転体２０との間に亘って配設され、回転体２０の外周面に吸着して搬送される遊技球を排出ガイド部材４２へと導くものである。また、排出ガイド部材４２は、球切り樋４４と第２補給樋１１とに亘って配設され、回転体２０によって搬送された遊技球を第２補給樋１１へと導くものである。
【００７４】
なお、球切り樋４４の上流端部４４ａが回転体２０の外周面に摺接するものとしたが、遊技球が通過不可能な間隙を空けて近接させるようにしてもよい。また、球切り樋４４を廃止し、排出ガイド部材４２を回転体２０と第２補給樋１１とに亘って配設し、排出ガイド部材４２の上流端部を回転体２０の外周面に摺接、又は、球切り樋と同様に近接させるようにしてもよい。つまり、排出ガイド部材４２と球切り樋４４とを共通の部材にて構成するようにしてもよい。
【００７５】
以上のように、第１補給樋１０と第２補給樋１１は、第２補給樋１１の上流端部１１ａが第１補給樋１０の下流端部１０ａよりも高い位置となるように配設され、第１補給樋１０から供給ガイド部材４１を通じて回転体２０に導かれた遊技球は、磁力によって回転体２０の外周面に吸着する。そして、回転体２０の回転によって球切り樋４４まで搬送され、排出ガイド部材４２を通じて第２補給樋１１に導かれる。
【００７６】
ところで、遊技島１００に配置された遊技機の稼動が少ない場合には、遊技球供給装置１内の遊技球が多くなり過剰になってしまう場合がある。この対策として、図３（ｂ）に示すように、球切り樋４４の側壁の開口部には、第２補給樋１１が遊技球にて満たされた状態を検出するオーバーフローセンサ４７が配設される。第２補給樋１１をオーバーフローした遊技球が球切り樋４４に進入した場合には、オーバーフローセンサ４７が遊技球にて押圧され、オーバーフローセンサ４７から遊技島１００に搭載された搬送制御装置（図示省略）に信号が出力される。搬送制御装置は、回転体２０の回転を停止させるべくモータ３２に停止指令を出力する。これにより、球搬送装置１２の運転が停止するため、第１補給樋１０から第２補給樋１１への遊技球の搬送が停止する。
【００７７】
次に、主に図５及び図６を参照して、遊技球供給装置１による遊技球の搬送について説明する。図６（ａ）は遊技球が回転体２０の外周面に吸着し搬送されている状態を示す図であり、図６（ｂ）は図６（ａ）の比較例を示す図である。
【００７８】
第１補給樋１０を転動し、いずれの補給シュート１３にも流入しなかった遊技球は、第１補給樋１０から供給ガイド部材４１を通じて回転体２０へと導かれる。
【００７９】
ここで、供給ガイド部材４１の転動面４１ａは、第１補給樋１０の転動面１０ｃと比較して傾斜が大きいため、遊技球は供給ガイド部材４１の転動面４１ａ上を勢いよく転動する。そのため、転動面４１ａ上に遊技球が連なった状態になっても、後から供給ガイド部材４１へと供給される遊技球は、その連なった遊技球に乗り上げて遊技球上を転動するため、回転体２０の外周面近傍まで到達し易い。
【００８０】
これに対して、供給ガイド部材４１の転動面４１ａの傾斜が、第１補給樋１０の転動面１０ｃの傾斜と比較して同等又は小さい場合には、供給ガイド部材４１を転動する遊技球の勢いが弱いため、後から供給ガイド部材４１へと供給される遊技球は、連なった遊技球上を転動することができず、第１補給樋１０と供給ガイド部材４１の接続部近傍に堆積し、回転体２０の外周面まで到達し難い。
【００８１】
また、第１補給樋１０の下流端部１０ａと供給ガイド部材４１の転動面４１ａとの間には、遊技球１個分以上の段差４３が設けられるため、転動面４１ａ上に遊技球が連なった状態になっても、後から供給ガイド部材４１へと供給される遊技球は、その連なった遊技球上に供給されるため、回転体２０の外周面近傍まで到達し易い。
【００８２】
これに対して、第１補給樋１０の下流端部１０ａと供給ガイド部材４１の転動面４１ａとの間に段差がなく、双方が滑らかに連通している場合には、遊技球が積み重なり難いため、後から供給ガイド部材４１へと供給される遊技球は、回転体２０の外周面まで到達し難い。
【００８３】
以上のように、供給ガイド部材４１の傾斜を大きくし、かつ第１補給樋１０との間に段差４３を設けることによって、第１補給樋１０から供給される遊技球を、供給ガイド部材４１の転動面４１ａと回転体２０の外周面とで囲まれた磁界の影響を受け易い領域へと流れ込ませることができる。これにより、回転体２０の外周面近傍の遊技球の個数が多くなるため、磁界の作用によって回転体２０の外周面に遊技球が吸着し易くなる。
【００８４】
供給ガイド部材４１によって回転体２０の外周面近傍まで到達した遊技球は、回転体２０の外周縁に配設された硬磁性体２３が及ぼす磁界によって、硬磁性体２３に吸着する。
【００８５】
硬磁性体２３に吸着した遊技球は磁化されるため、その磁化された遊技球に他の遊技球が吸着し磁化される。このようにして、図６（ａ）に示すように、遊技球は数珠状に吸着する。
【００８６】
また、数珠状に吸着した遊技球は磁化されているため、これらの遊技球の磁場によって、軟磁性体であるベースドラム２１の胴部２１ａも磁化される。これにより、数珠状に吸着した遊技球は、磁石ガイド２２と磁石カバー２６を隔ててベースドラム２１の胴部２１ａに引き寄せられる。このように、硬磁性体２３、数珠状に吸着した遊技球、及び軟磁性体の胴部２１ａによって、回転体２０の外周縁には磁気回路が構成されるため、図６（ａ）に示すように、遊技球は、各硬磁性体２３を基点として、回転体２０の外周面に数珠状に吸着する。
【００８７】
ここで、仮に、ベースドラム２１の胴部２１ａが非磁性体である場合には、胴部２１ａは磁化されないため、回転体２０の外周縁に磁気回路が構成されない。この場合には、図６（ｂ）に示すように、遊技球は、硬磁性体２３を基点として数珠状には吸着するものの、回転体２０の外周面には吸着せず、重力によって鉛直下方へとぶら下がった状態となる。したがって、数珠状に吸着する遊技球の個数には限界があり、多くの遊技球を搬送することができない。また、遊技球の重さによっては落下するため、効率良く遊技球を搬送することができない。
【００８８】
また、仮に、供給ガイド部材４１が軟磁性体である場合には、供給ガイド部材４１内の遊技球が硬磁性体２３に吸着した際、硬磁性体２３、供給ガイド部材４１内の遊技球、及び供給ガイド部材４１にて磁気回路が構成される。このため、硬磁性体２３と供給ガイド部材４１とに亘って遊技球が連なってしまい、遊技球は、回転体２０の外周面に効率良く吸着しない。このことから、供給ガイド部材４１が非磁性体であることは、効率良く遊技球を搬送するための要件となる。供給ガイド部材４１は、例えば、ＳＵＳ３０４等のオーステナイト系ステンレス鋼にて構成される。
【００８９】
供給ガイド部材４１を非磁性体にて構成すると、回転体２０と第１補給樋１０とは非磁性体によって隔てられることになるため、第１補給樋１０を転動する遊技球に対して磁界が及び難い構成となる。そのため、第１補給樋１０は、材料選定にあたって制約がなく、コストの面から自由に選定することができる。例えば、ＳＵＳ３０４よりも安価であり、軟磁性体であるＳＵＳ４３０にて構成することもできる。
【００９０】
回転体２０の外周面に数珠状に吸着した遊技球は、回転体２０の回転に伴って搬送され、回転体２０の外周面に摺接する球切り樋４４の上流端部４４ａに当接することによって、回転体２０の外周面から離れて球切り樋４４内に誘導され、排出ガイド部材４２を通じて第２補給樋１１に導かれる。このようにして、第１補給樋１０から供給された遊技球は、第２補給樋１１へと搬送される。
【００９１】
硬磁性体２３の配列としては、図７（ａ）に示すように、隣り合う硬磁性体２３を、Ｓ極とＮ極が対向するようにして配設するのが望ましい。このように硬磁性体２３を配設することによって、遊技球は隣り合う硬磁性体２３に亘って吸着するため、回転体２０の外周面により多くの遊技球を吸着させることができる。したがって、遊技球の搬送効率が向上する。
【００９２】
また、図７（ａ）では、回転体２０の周方向にＮ極とＳ極が着磁された硬磁性体２３を示したが、図７（ｂ）に示すように、回転体２０の径方向にＮ極とＳ極が着磁された硬磁性体２３を用いてもよい。
【００９３】
次に、図８を参照して、供給ガイド部材４１について詳しく説明する。図８は球搬送装置１２における供給ガイド部材４１近傍を示す斜視図であり、（ａ）は供給ガイド部材４１が通常状態の図、（ｂ）は供給ガイド部材４１が移動中の図、（ｃ）供給ガイド部材４１がカバー部材１５内に収納された状態の図である。なお、図８では、カバー部材１５の側面カバーが取り外され、側壁１５ａの外面が露出した状態を示す。
【００９４】
供給ガイド部材４１は、一対のガイド壁４１ｂのそれぞれに設けられた回転軸５０を介して、カバー部材１５の側壁１５ａ，１５ｂに回転自在に支持される。また、カバー部材１５の側壁１５ａ，１５ｂには、回転軸５０を中心とする円弧状のガイド部５１が開口して形成される。供給ガイド部材４１の一対のガイド壁４１ｂのそれぞれには、ガイド部５１に沿って摺動して案内される摺動部５２も設けられる。このように、供給ガイド部材４１は、摺動部５２がガイド部５１に沿って案内されることによって、回転軸５０を中心として回転する。
【００９５】
通常状態では、図８（ａ）に示すように、摺動部５２はガイド部５１の下端部に位置し、供給ガイド部材４１は、カバー部材１５の球受入部１６ａを挿通し、上流側がカバー部材１５から突出して第１補給樋１０の下流端部１０ａに臨んだ第１状態である。この第１状態では、供給ガイド部材４１は、第１補給樋１０と連通した状態となるため、第１補給樋１０から供給される遊技球を回転体２０へと導くことが可能となる。なお、この第１状態で供給ガイド部材４１の回転を防止するため、供給ガイド部材４１を固定するためのボルト５３（締結部材）がカバー部材１５の側壁１５ａ，１５ｂを挿通して設けられる。ボルト５３の先端側は、供給ガイド部材４１のガイド壁４１ｂに形成された締結穴４１ｃ（図３（ｂ）参照）に螺合する。
【００９６】
球搬送装置１２のメンテナンスや交換を行う際には、球搬送装置１２を遊技球供給装置１に対して着脱する必要がある。その場合には、ボルト５３を緩めた後、図８（ｂ）に示すように、摺動部５２をガイド部５１に沿って案内させ、供給ガイド部材４１を回転軸５０を中心として回転させる。
【００９７】
供給ガイド部材４１の回転に伴い、図８（ｃ）に示すように、供給ガイド部材４１は、球受入部１６ａを通じてカバー部材１５内に進入して収納された第２状態となる。このように、供給ガイド部材４１は、回転してカバー部材１５内に収容される。この第２状態では、摺動部５２はガイド部５１の上端部に位置する。なお、この第２状態でも、ボルト５３が供給ガイド部材４１のガイド壁４１ｂに形成された締結穴４１ｄ（図３（ｂ）参照）に螺合され、供給ガイド部材４１の回転が防止される。
【００９８】
以上のように、供給ガイド部材４１は、カバー部材１５から突出することで第１補給樋１０の下流端部１０ａに臨む第１状態と、回転してカバー部材内１５に進入することで第１補給樋１０の下流端部１０ａから退避する第２状態とに変換可能に構成される。
【００９９】
なお、上記した例では、供給ガイド部材４１がカバー部材１５から突出する傾倒状態とカバー部材内１５に進入する起立状態との間で回転（回動）するように構成したが、傾倒状態と垂下状態との間で回転（回動）するようにしても良い。
【０１００】
したがって、図９に示すように、球搬送装置１２の着脱時には、供給ガイド部材４１を回転させてカバー部材１５内に収納し、第１補給樋１０の下流端部１０ａから退避させることによって、供給ガイド部材４１と第１補給樋１０との係合を解除させることができる。これにより、第１補給樋１０を遊技島１００の樋支持部１７ａ（図２及び図５参照）から取り外すことなく、球搬送装置１２を遊技球供給装置１に対して容易に着脱させることが可能となる。
【０１０１】
以上の第１の実施の形態によれば、以下に示す作用効果を奏する。
【０１０２】
硬磁性体２３、硬磁性体２３に吸着した遊技球、及び軟磁性体（ベースドラム２１の胴部２１ａ）によって回転体２０の外周縁には磁気回路が構成され、その磁気回路によって複数の遊技球が回転体２０の外周面に数珠状に吸着する。
【０１０３】
このように、遊技球供給装置１は、回転体２０の外周縁に配設された磁性体の磁力によって、遊技球を回転体２０の外周面に吸着させて搬送するものであるため、遊技球を搬送するための部材を回転体２０に設ける必要がない。したがって、球詰まりを起こすおそれがなく、遊技機に安定して遊技球を供給することができる。また、回転体２０を簡便な構造にすることができる。
【０１０４】
また、硬磁性体２３及び遊技球と磁気回路を構成する軟磁性体を備えるため、硬磁性体２３は、回転体２０周方向に所定間隔を空けて配設すれば足り、回転体２０の外周全体に配設する必要がないため、コストを低減することができる。
【０１０５】
また、球搬送装置１２のメンテナンスや交換に伴う着脱時には、供給ガイド部材４１を回転させて球搬送装置１２のカバー部材１５内に進入させ、第１補給樋１０の下流端部１０ａから退避させれば、球搬送装置１２と第１補給樋１０との係合を解除することができる。したがって、球搬送装置１２の着脱時に第１補給樋１０を遊技島１００から取り外す作業が不要となり、球搬送装置１２の着脱作業を容易に行うことが可能となる。
【０１０６】
（第２の実施の形態）
図１０〜図１３を参照して、本発明の第２の実施の形態に係る遊技球供給装置について説明する。図１０は球搬送装置１２の斜視図であり、図１１は供給ガイド部材４１が通常状態である球搬送装置１２の要部斜視図であり、図１２は供給ガイド部材４１がカバー部材１５内に収納された状態の要部斜視図であり、図１３は図１２に対応する断面図である。なお、図１１及び図１２では、カバー部材１５の側面カバーが取り外され、側壁１５ａの外面が露出した状態を示す。
【０１０７】
以下では、上記第１の実施の形態と相違する点を中心に説明し、上記第１の実施の形態と同一の構成には同一の符号を付して説明を省略する。
【０１０８】
本発明の第２の実施の形態は、供給ガイド部材４１をカバー部材１５内に移動させる構造が上記第１の実施の形態と相違する。
【０１０９】
図１１に示すように、カバー部材１５の側壁１５ａ，１５ｂには、供給ガイド部材４１の傾斜に沿って延在するガイド部６１が開口して形成される。また、供給ガイド部材４１の一対のガイド壁４１ｂのそれぞれには、ガイド部６１に沿って摺動して案内される摺動部６２が設けられる。摺動部６２は、供給ガイド部材４１の上流側に設けられる第１摺動部６２ａと、下流側に設けられる第２摺動部６２ｂとからなる。供給ガイド部材４１は、第１摺動部６２ａ及び第２摺動部６２ｂがガイド部６１に沿って案内されることによって、カバー部材１５の側壁１５ａ，１５ｂに沿ってスライドする。
【０１１０】
供給ガイド部材４１のガイド壁４１ｂの上流端部には、供給ガイド部材４１をスライドさせるために作業者が掴むための把持部６４が設けられる。把持部６４は、ガイド壁４１ｂの上流端部から外側に向かって突出して形成される。
【０１１１】
通常状態では、図１１に示すように、第１摺動部６２ａはガイド部６１の上端部に位置し、供給ガイド部材４１は、カバー部材１５の球受入部１６ａを挿通し、上流側がカバー部材１５から突出して第１補給樋１０の下流端部１０ａに臨んだ第１状態である。この第１状態では、供給ガイド部材４１は、第１補給樋１０と連通した状態となるため、第１補給樋１０から供給される遊技球を回転体２０へと導くことが可能となる。なお、この第１状態で供給ガイド部材４１のスライドを防止するため、供給ガイド部材４１を固定するためのボルト６３（締結部材）がカバー部材１５の側壁１５ａ，１５ｂを挿通して設けられる。ボルト６３の先端側は、供給ガイド部材４１のガイド壁４１ｂに形成された締結穴４１ｃ（図１０参照）に螺合する。
【０１１２】
球搬送装置１２のメンテナンスや交換を行う際には、球搬送装置１２を遊技球供給装置１に対して着脱する必要がある。その場合には、ボルト６３を緩めた後、図１２に示すように、把持部６４を掴み、供給ガイド部材４１をカバー部材１５内に押し込む。これにより、供給ガイド部材４１は、摺動部６２がガイド部６１に沿って案内されてスライドし、球受入部１６ａを横切るようにしてカバー部材１５内に進入して収納された第２状態となる。このように、供給ガイド部材４１は、スライドしてカバー部材１５内に収容される。この第２状態では、第２摺動部６２ｂはガイド部６１の下端部に位置すると共に、把持部６４は球受入部１６ａの開口縁に係止されて、それ以上の供給ガイド部材４１の進入が規制される。なお、この第２状態でも、ボルト６３が供給ガイド部材４１のガイド壁４１ｂに形成された締結穴４１ｄ（図１０参照）に螺合され、供給ガイド部材４１のスライドが防止される。
【０１１３】
以上のように、供給ガイド部材４１は、カバー部材１５から突出することで第１補給樋１０の下流端部１０ａに臨む第１状態と、スライドしてカバー部材１５に進入することで第１補給樋１０の下流端部１０ａから退避する第２状態とに変換可能に構成される。
【０１１４】
図１１及び図１２に示すように、ガイド部６１は、供給ガイド部材４１の傾斜に沿って延在するメインガイド部６１ａと、供給ガイド部材４１の後退限に対応して形成されメインガイド部６１ａと比較して傾斜が小さいサブガイド６１ｂとからなる。
【０１１５】
第１状態では、図１１に示すように、第１摺動部６２ａ及び第２摺動部６２ｂは、双方ともメインガイド部６１ａ内に位置する。したがって、第１状態では、図５に示すように、供給ガイド部材４１の転動面４１ａの下流側は、回転体２０の外周面と遊技球が通過不能な隙間をもって対向する。
【０１１６】
これに対して、第２状態では、図１２に示すように、第１摺動部６２ａはメインガイド部６１ａ内に位置し、第２摺動部６２ｂはサブガイド６１ｂ内に位置する。したがって、第２状態では、供給ガイド部材４１の転動面４１ａの傾斜が第１状態と比較して小さくなる。これにより、図１３に示すように、供給ガイド部材４１の下流端部が基台１４に当たることが防止されると共に、供給ガイド部材４１の転動面４１ａの下流側が回転体２０の外周面に当接する。このように、第２状態では、供給ガイド部材４１の転動面４１ａと回転体２０の外周面とが当接するため、回転体２０の回転が規制される。したがって、球搬送装置１２のメンテナンスや交換に伴う着脱時において、供給ガイド部材４１を第２状態に変換して遊技島１００から取り外す場合においても、回転体２０の回転が規制されるため、回転体２０の外周面に吸着された遊技球のカバー部材１５内での散乱を防止することが可能となる。
【０１１７】
なお、サブガイド６１ｂの傾斜は、供給ガイド部材４１が後退限において、転動面４１ａが回転体２０の外周面に当接するのであれば制限はなく、水平又はメインガイド部６１ａとは逆向きの傾斜にて形成するようにしてもよい。
【０１１８】
次に、図１４及び図１５を参照して、第２の実施の形態の他の形態について説明する。図１４は供給ガイド部材４１が通常状態（第１状態）である球搬送装置１２の要部断面図であり、図１５は供給ガイド部材４１がカバー部材１５内に収納された状態（第２状態）の球搬送装置１２の要部断面図である。なお、図１４（ｂ）及び図１５（ｂ）は、それぞれ図１４（ａ）及び図１５（ａ）における点線で囲んだ領域の拡大図である。
【０１１９】
供給ガイド部材４１には、転動面４１ａの下流端部に突出して形成され、遊技球の転動を規制する規制片６５が設けられる。規制片６５は、先端に向かって細くなる形状に形成される。
【０１２０】
図１４に示すように、第１状態では、供給ガイド部材４１は、規制片６５にて転動を規制された遊技球が回転体２０の外周面に吸着可能なように、転動面４１ａが回転体２０の外周面と所定隙間をもって対向して配設される。これにより、第１状態にある供給ガイド部材４１を転動する遊技球の落下を確実に防止することができる。また、球搬送装置１２のメンテナンスを行うにあたって、供給ガイド部材４１が第１状態のままで回転体２０を逆回転させるような場合においても、供給ガイド部材４１からの遊技球の落下を防止することができる。換言すれば、供給ガイド部材４１の下流端部に規制片６５を設けることによって、回転体２０を逆回転させて球搬送装置１２のメンテナンスを行うことが可能となる。
【０１２１】
図１５に示すように、第２状態では、供給ガイド部材４１の転動面４１ａの下流側が回転体２０の外周面に当接すると共に、規制片６５が回転体２０の外周面に係合する。したがって、球搬送装置１２のメンテナンスや交換に伴う着脱時において、回転体２０の回転をより確実に規制することが可能となる。
【０１２２】
以上の第２の実施の形態によれば、以下に示す作用効果を奏する。
【０１２３】
球搬送装置１２のメンテナンスや交換に伴う着脱時には、供給ガイド部材４１をスライドさせて球搬送装置１２のカバー部材１５内に進入させ、第１補給樋１０の下流端部１０ａから退避させれば、球搬送装置１２と第１補給樋１０との係合を解除することができる。したがって、球搬送装置１２の着脱時に第１補給樋１０を遊技島１００から取り外す作業が不要となり、球搬送装置１２の着脱作業を容易に行うことが可能となる。
【０１２４】
また、第２状態では、供給ガイド部材４１の転動面４１ａの下流側が回転体２０の外周面に当接するため、回転体２０の回転が規制される。したがって、球搬送装置１２のメンテナンスや交換に伴う着脱時において、供給ガイド部材４１を第２状態に変換して遊技島１００から取り外す場合においても、回転体２０の外周面に吸着された遊技球のカバー部材１５内での散乱を防止することが可能となる。
【０１２５】
また、第２状態では、供給ガイド部材４１の転動面４１ａの下流側が回転体２０の外周面に当接すると共に、規制片６５が回転体２０の外周面に係合する。したがって、球搬送装置１２のメンテナンスや交換に伴う着脱時において、回転体２０の回転をより確実に規制することが可能となる。
【０１２６】
次に、上記第１及び第２の実施の形態の他の形態について説明する。
【０１２７】
（１）上記実施の形態では、ゴム製の磁石ガイド２２に硬磁性体２３を保持させ、ベースドラム２１の胴部２１ａを軟磁性体とした。これに代わり、磁石ガイド２２自体を環状の軟磁性体にて構成し、その磁石ガイド２２をベースドラム２１の外周に嵌挿させベースドラム２１と一体に構成するようにしてもよい。このように構成すれば、磁石ガイド２２の外周面に、硬磁性体２３と軟磁性体が周方向に交互に配設されるため、軟磁性体の磁力が遊技球に作用し易くなり、遊技球が回転体２０の外周面に吸着し易くなる。
【０１２８】
（２）上記実施の形態では、供給ガイド部材４１を回転又はスライドさせて球搬送装置１２のカバー部材１５内に収容可能とする場合について説明した。排出ガイド部材４２も、供給ガイド部材４１と同様の構成によって回転又はスライドさせて球搬送装置１２のカバー部材１５内に収容可能とするようにしてもよい。また、供給ガイド部材４１及び排出ガイド部材４２のいずれか一方のみをカバー部材１５内に収容可能とするようにしてもよい。
【０１２９】
（３）上記実施の形態では、球受入部１６ａからの遊技球を保持して球排出部１６ｂへ向けて搬送する搬送部材として、外周面に遊技球を吸着させて搬送する回転体２０である場合について説明した。しかし、搬送部材は、回転体２０のように磁力によって遊技球を搬送するものに限られるものではなく、回転体の外周に設けられた複数のフィン等によって遊技球を搬送するものであってもよい。
【０１３０】
（４）上記実施の形態では、ガイド部５１，６１がカバー部材１５の両側壁１５ａ，１５ｂに形成され、ガイド部５１，６１に案内される摺動部５２，６２も供給ガイド部材４１の一対のガイド壁４１ｂのそれぞれに形成されると説明した。しかし、ガイド部５１，６１をカバー部材１５の側壁１５ａ，１５ｂの一方のみに形成すると共に、摺動部５２，６２も供給ガイド部材４１の一対のガイド壁４１ｂの一方のみに形成するようにしてもよい。
【０１３１】
本発明は上記の実施の形態に限定されずに、その技術的な思想の範囲内において種々の変更がなしうることは明白である。
【産業上の利用可能性】
【０１３２】
本発明の遊技球供給装置は、遊技機に遊技球を供給する装置として適用することができる。なお、遊技機としては、前記実施の形態に示されるようなパチンコ遊技機に限られるものではなく、例えば、その他のパチンコ遊技機、アレンジボール遊技機、雀球遊技機、スロットマシンなどの遊技球を使用する全ての遊技機に適用可能である。
【符号の説明】
【０１３３】
１      遊技球供給装置
１０    第一補給樋
１０ａ  下流端部
１１    第二補給樋
１１ａ  上流端部
１２    球搬送装置
１３    補給シュート
２０    回転体
４１    供給ガイド部材
４１ａ  転動面
４１ｂ  ガイド壁
４２    排出ガイド部材
４２ａ  転動面
４２ｂ  ガイド壁
４４    球切り樋
５０    回転軸
５１    ガイド部
５２    摺動部
５３    ボルト
６１    ガイド部
６１ａ  メインガイド部
６１ｂ  サブガイド
６２    摺動部
６２ａ  第１摺動部
６２ｂ  第２摺動部
６３    ボルト
６４    把持部
６５    規制片
１００  遊技島
【図１】
2011036324.tif 000003
【図２】
2011036324.tif 000004
【図３】
2011036324.tif 000005
【図４】
2011036324.tif 000006
【図５】
2011036324.tif 000007
【図６】
2011036324.tif 000008
【図７】
2011036324.tif 000009
【図８】
2011036324.tif 000010
【図９】
2011036324.tif 000011
【図１０】
2011036324.tif 000012
【図１１】
2011036324.tif 000013
【図１２】
2011036324.tif 000014
【図１３】
2011036324.tif 000015
【図１４】
2011036324.tif 000016
【図１５】
2011036324.tif 000017